(57)【要約】【課題】縞模様を表したフィルム片を鳥の子紙等の薄葉紙の表面に積層乃至貼付する形式の、引箔のための平箔において、見た目に深み感に富み、幽玄乃至幻想的な風合いのものとして発現させるようにする。また、９０切〜１００切の細幅の引箔でも、これを層間剥離なしに得ることができるし、更に得られる引箔をして、緯入れ時に裏返ることがないようにする。【解決手段】鳥の子紙等の薄葉紙１３に縞模様を施すのに、ホログラム即ちホログラフィーで記録された干渉パターンによる縞模様１１を持ったフィルム片或いはホイル片１２１を鳥の子紙等の薄葉紙１３に積層乃至は貼付することで、模様付けする仕様を採択する。【選択図】図１
2004358676.tif 000002
【特許請求の範囲】
【請求項１】
ホログラムによる縞模様を持つフィルム片またはホイル片の積層乃至貼付で薄葉紙に模様付けがされ、その模様付けが当該フィルム片またはホイル片のモザイク状の配置でなされ、当該フィルム片またはホイル片が穿孔されていることを特徴とする平箔。
【請求項２】
ホログラムによる縞模様を持つフィルム片またはホイル片のモザイク状の配置が、当該フィルム片またはホイル片の重なりなしになされている請求項１記載の平箔。
【発明の詳細な説明】
【０００１】
【発明の属する技術分野】
本発明は引箔（織機上の経糸開口部に引き込まれる細く裁断された箔）を得るための平箔に関する。ここに平箔とは、鳥の子紙等の薄葉紙に、縞模様を表したフィルム片またはホイル片を積層乃至は貼付したものをいう。
【０００２】
【従来の技術】
従来、引箔のための平箔としては、見た目に深みのある感じの風合いの縞模様のものは、未開発である。
【０００３】
【発明が解決しようとする課題】
本発明は見た目に深み感に富んだ風合いで、また幽玄乃至幻想的な風合いの縞模様のもので、しかもその縞模様の模様付けを的確に達成できる平箔を提供しようというものである。
【０００４】
【課題を解決するための手段】
上記課題解決のため本発明は、鳥の子紙等の薄葉紙に縞模様を施すのに、ホログラム（ホログラフィーで記録された干渉パターン）による縞模様を持ったフィルム片またはホイル片を薄葉紙に積層乃至貼付することで、模様付けする仕様をとると共に、そのフィルム片またはホイル片に穿孔したものを充てている。
ホログラムのフィルム片またはホイル片に、穿孔したものを充てることは、次の意義がある。
【０００５】
フィルム片またはホイル片が穿孔したものであると、薄葉紙に積層乃至貼付する際、これを空気の抱き込みなしに達成できる。空気を抱き込むと、フィルム片またはホイル片と薄葉紙の間に気泡が生じ、平箔をスリットして得られた引箔におけるホログラムのフィルム片またはホイル片が剥離し、薄葉紙に対するホログラムのフィルム片またはホイル片による模様付けが達成されない。
【０００６】
これと異なり、本発明では、空気の抱き込みなしに、薄葉紙にホログラムのフィルム片またはホイル片を積層乃至貼付できるので、９０切〜１００切という細幅の引箔の場合でも、ホログラムのフィルム片またはホイル片及び薄葉紙間の層間剥離のない、引箔を得ることがきる。
【０００７】
また、フィルム片またはホイル片と薄葉紙の間に気泡が生じないので、引箔が緯入れ時に裏返ることがない。引箔の裏返は織り傷である。緯入れ時の引箔の裏返り回避は、フィルム片またはホイル片のモザイク状配置を、フィルム片またはホイル片の重なりのないものとするときは、より良好である。それは、重なりのない分、緯入れ時に引箔が他のものに引っかかることが減少するからである。
【０００８】
本発明に係る模様付け仕様によると、所要の模様付け即ち、薄葉紙に対するホログラムの縞模様付きフィルム片またはホイル片の積層乃至貼付を、当該フィルム片またはホイル片の所要面或いは薄葉紙表面に熱融着性接着剤を塗布しておき、これらフィルム片またはホイル片と薄葉紙を重ね、少なくとも一方が加熱された挟圧ロール（ピンチロール）による押圧を適用して、工業的に有利に行える。
【０００９】
しかも次に示すようなメリットもある。
ホログラムによる縞模様は、干渉縞（光の干渉によって生じる縞模様）、干渉色（白色光どうしの干渉によって生じる色）の縞模様であって、見た目に深みに富むし、また幽玄乃至幻想的な風合いである。このため、本発明の平箔から得られた引箔を織り込んだ織物は、従来で発現されない味わいの深い、情趣に富んだ縞模様のものとなる。ホログラムフィルム片またはホログラムホイル片に別の模様を重ねて表すときは、更に趣きがよくなる。
【００１０】
ホログラムの縞模様付きフィルム片またはホイル片の積層乃至貼付による薄葉紙の模様付けが、当該フィルム片またはホイル片のモザイク状の配置でなされることは、縞模様の柄において、小ロット（構成素が少数のロット）、多品種の平箔を有利に量産することをもたらす。
【００１１】
ホログラムフィルム片またはホログラムホイル片のための積層乃至貼付媒体に柔軟性のものを用いるときは、ホログラムの干渉パターンが持つニュアンスを十二分に活かして、織物上に当該パターンを発現できる。
【００１２】
【発明の実施の形態】
本発明の実施形態を図面を参照して、実施例と共に説明する。図で符号１を付したのが、引箔を得るための平箔である。平箔１の構成は、次に示すものである。
ホログラム、即ちホログラフィーで記録された干渉パターンによる縞模様１１を表したフィルムまたはホイル１２（図３）を任意大きさ、任意輪郭形状に切って得られた、フィルム片またはホイル片（これらを以下、フィルム片という）１２１が、鳥の子紙等の薄葉紙１３（図２）の表面にモザイク状の配置で積層乃至は貼付されることによって、薄葉紙１３に対する模様付けがなさている。フィルム片１２には、全面的に小さな穿孔（図示せず）があけられている。
【００１３】
なお、図３では、一のフィルム１２に異なるモチーフの干渉パターン縞模様１１が示されているが、これはモチーフが異なる縞模様１１を持つ複数のフィルムまたはホイルを、集約して示している。
ホログラフィーで記録された干渉パターンによる縞模様は、干渉縞（光の干渉によって生じる縞模様）、干渉色（白色光どうしの干渉によって生じる縞模様）であって、視覚では捉えられても、現実には図示できないが、理解を容易にするために模式的に図に表した。
【００１４】
干渉パターンによる縞模様１１は、図示の縞模様だけでなく、種々の任意模様のものでもよい。
薄葉紙１３に対するフィルム片１２の積層乃至貼付は、然るべき仕様を採用すればよい。
薄葉紙１３に対する干渉パターンの模様１１付きフィルム片１２１を積層乃至貼付する媒体は、柔軟性のものが好ましい。
【００１５】
【発明の効果】
本発明は以上に示すような形態で実施され、次に示すような効果を奏する。
引箔を得るための平箔の縞模様の風合いを、見た目に深み感に富んだもので、また幽玄乃至幻想的なものとして発現できる。
９０切〜１００切の細幅の引箔でも、これを層間剥離なしに得ることがきる。また、得られる引箔は緯入れ時に裏返ることがない。
【図面の簡単な説明】
【図１】本発明に係る平箔の一例を示す斜視図である。
【図２】図１に示す平箔における薄葉紙の斜視図である。
【図３】図１に示す平箔におけるホログラムによる縞模様を持つフィルムまたはホイルの斜視図である。
【符号の説明】
１      平箔
１１    縞模様
１２    縞模様を持つフィルムまたはホイル
１２１  フィルム片またはホイル片
１３    薄葉紙
【図１】
2004358676.tif 000003
【図２】
2004358676.tif 000004
【図３】
2004358676.tif 000005